(57)【要約】      （修正有）【課題】電子機器収納部から、電子機器を容易に取り出すことができるランドセルを提供する。【解決手段】ランドセル１０は、左右一対の主襠部２３、２３と、前仕切部２２と、底部２４と、背部２１と、を有する主収納部２０を備える。主収納部２０には、主収納部２０内を、前後方向において区画する区画壁２５が配設され、平面視において、背部２１と区画壁２５との間の領域が、電子機器Ｅを収納可能な電子機器収納部２７とされる。一端側で主収納部２０に固定され、他端側が自由端とされた帯状の引き出し部材１００を備える。電子機器収納部２７に電子機器Ｅが収納された状態において、引き出し部材１００は、電子機器収納部２７と電子機器Ｅとの間に配され、引き出し部材１００の他端を引っ張ることにより、電子機器Ｅを底部２４側から持ち上げて引き出し可能とされている。【選択図】図２
0003232683.tif 000002
【実用新案登録請求の範囲】
【請求項１】
左右一対の主襠部と、前仕切部と、底部と、背部と、を有する主収納部を備えるランドセルであって、
前記主収納部には、前記主収納部内を、前後方向において区画する区画壁が配設され、
平面視において、前記背部と前記区画壁との間、又は、前記前仕切部と前記区画壁との間、の領域が、電子機器を収納可能な前記電子機器収納部とされ、
一端側で前記主収納部又は前記区画壁に固定され、他端側が自由端とされた帯状の引き出し部材を備え、
前記電子機器収納部に前記電子機器が収納された状態において、前記引き出し部材は、前記電子機器収納部と前記電子機器との間に配され、前記引き出し部材の他端を引っ張ることにより、前記電子機器を前記底部側から持ち上げて引き出し可能とされていることを特徴とするランドセル。
【請求項２】
前記背部と前記区画壁との間の領域が、前記電子機器を収納可能な前記電子機器収納部とされ、
前記電子機器収納部に前記電子機器が収納された状態において、前記引き出し部材は、前記背部と、前記区画壁と、前記底部と、に対向するように配され、
前記背部、又は／及び、前記区画壁、には、内部を前記引き出し部材が挿通可能な挿通部が配設されていることを特徴とする請求項１記載のランドセル。
【請求項３】
前記背部、又は／及び、前記区画壁、には、前記引き出し部材を配置可能な凹部が配設されていることを特徴とする請求項２記載のランドセル。
【請求項４】
前記区画壁は、一対の電子機器収納襠部を介して前記主収納部に取り付けられ、前記電子機器収納襠部には、前記電子機器収納部に収納された前記電子機器が、前記電子機器収納部の開口部から飛び出すことを防止する抑え部材が配設されていることを特徴とする請求項１、２又は３記載のランドセル。
【考案の詳細な説明】
【技術分野】
【０００１】
本考案は、電子機器を収納可能なランドセルに関するものである。
【背景技術】
【０００２】
近年の情報技術の進化により、教育現場においても、ノートパソコン、タブレット型端末等の電子機器が用いられるようになっている。これに対応する従来のランドセルとして、特許文献１に記載されているものがあり、容積の大きい主収納部と、主収納部より容積の小さい副収納部と、を備え、主収納部と副収納部との間に、電子機器を収納するための、電子機器収納部が設けられていた。
【先行技術文献】
【特許文献】
【０００３】
【特許文献１】実用新案登録第３２２１８４７号公報
【考案の概要】
【考案が解決しようとする課題】
【０００４】
しかし、電子機器の重量は、児童にとっては重たいものであり、上記のランドセルでは、電子機器収納部から、電子機器を容易に取り出せないという問題があった。
【０００５】
本考案は、上記事情に鑑み、電子機器収納部から、電子機器を容易に取り出すことができるランドセルを提供することを目的とする。
【課題を解決するための手段】
【０００６】
請求項１記載の考案では、左右一対の主襠部と、前仕切部と、底部と、背部と、を有する主収納部を備えるランドセルであって、
前記主収納部には、前記主収納部内を、前後方向において区画する区画壁が配設され、
平面視において、前記背部と前記区画壁との間、又は、前記前仕切部と前記区画壁との間、の領域が、電子機器を収納可能な前記電子機器収納部とされ、
一端側で前記主収納部又は前記区画壁に固定され、他端側が自由端とされた帯状の引き出し部材を備え、
前記電子機器収納部に前記電子機器が収納された状態において、前記引き出し部材は、前記電子機器収納部と前記電子機器との間に配され、前記引き出し部材の他端を引っ張ることにより、前記電子機器を前記底部側から持ち上げて引き出し可能とされている。
【０００７】
これによれば、引き出し部材を引っ張ることにより、電子機器を底部側から持ち上げ可能となるので、電子機器収納部から、電子機器を容易に取り出すことができる。
【０００８】
また、前記背部と前記区画壁との間の領域が、前記電子機器を収納可能な前記電子機器収納部とされ、
前記電子機器収納部に前記電子機器が収納された状態において、前記引き出し部材は、前記背部と、前記区画壁と、前記底部と、に対向するように配され、
前記背部、又は／及び、前記区画壁、には、内部を前記引き出し部材が挿通可能な挿通部が配設されている。
【０００９】
これによれば、挿通部により、引き出し部材の移動領域が規制されるので、電子機器収納部から電子機器が勢いよく引き出されて破損することを防止できる。
【００１０】
また、前記背部、又は／及び、前記区画壁、には、前記引き出し部材を配置可能な凹部が配設されている。
【００１１】
これによれば、引き出し部材を凹部に配置可能とすることで、電子機器収納部のスペースが減少することを防止できる。
【００１２】
また、前記区画壁は、一対の電子機器収納襠部を介して前記主収納部に取り付けられ、前記電子機器収納襠部には、前記電子機器収納部に収納された前記電子機器が、前記電子機器収納部の開口部から飛び出すことを防止する抑え部材が配設されている。
【００１３】
これによれば、抑え部材により、電子機器が、電子機器収納部の開口部から飛び出すことを防止できるので、電子機器が破損することを防止できる。
【図面の簡単な説明】
【００１４】
【図１】本考案の一実施形態としてのランドセルの斜視図である。
【図２】同実施形態の縦断面図である。
【図３】同実施形態の横断面図である。
【図４】挿通部に対応する部分の横断面図である。
【図５】挿通部以外の部分の横断面図である。
【図６】電子機器収納部の説明図である。
【考案を実施するための形態】
【００１５】
本考案のランドセルの一実施形態について図面に基づいて説明する。以下の説明において、図面に付される矢印は、Ｆを前、Ｂを後ろ、Ｒを右、Ｌを左、Ｕを上、Ｄを下、とする。
【００１６】
ランドセル１０は、芯部材（後述する背部２１、区画壁２５では、発泡ポリプロピレン製、その他の部分では、ポリエステル不織布のアクリル系含浸ボード）と、芯部材を覆う天然皮革製又は合成皮革製の外装材で形成されて、図１〜３等に示すとおり、主収納部２０と、副収納部４０と、前ポケット部６０と、蓋板部８０と、引き出し部材１００と、を備えている。
【００１７】
主収納部２０は、図１〜６に示すように、使用者が背負った時にその背中と当接する背部２１と、背部２１と空間を介して対向する前仕切部２２と、背部２１と前仕切部２２とを連結する左右一対の主襠部２３、２３と、下部を閉塞する底部２４と、を備えている。
【００１８】
主収納部２０は、上部が開口する開口部２０ａを有する箱状に形成されている。
【００１９】
背部２１は、後側が内部に図示しないクッション等を有する構造とされ、左右の端縁が各主襠部２３、２３とそれぞれ連設され、下端縁で底部２４と連設されている。
【００２０】
背部２１について詳説すると、背部２１は、発泡ポリプロピレン製の芯部材２１ａと、天然皮革製又は合成皮革製の外装材２１ｂと、緩衝材としての軟質ウレタンフォーム２１ｃと、を備えている。
【００２１】
芯部材２１ａの前側に軟質ウレタンフォーム２１ｃが接着され、外装材２１ｂで、前側から密着するように接着されている。
【００２２】
本実施形態では、軟質ウレタンフォーム２１ｃは、上下方向が長い矩形平板状の二枚の軟質ウレタンフォームで構成され、左右方向に沿って配置されるとともに、背部２１の左右方向における中央部分に上下方向に沿って隙間を有して配置されている。背部２１の軟質ウレタンフォーム２１ｃ間の隙間が、前面から後面に向かう有底溝状とされ、引き出し部材１００を配置可能な凹部２１ｄとされる。
【００２３】
前仕切部２２は、左右の端縁が各主襠部２３、２３、後述する副襠部４３と連設され、下端縁で底部２４、後述する副底部４４と連設されている。
【００２４】
各主襠部２３、２３は、上端縁が上方向に円弧状に突出して形成され、前端縁で前仕切部２２、副襠部４３と連設され、後端縁で背部２１と連設され、下端縁で底部２４と連設されている。
【００２５】
底部２４は、左右の端縁が各主襠部２３、２３と連設され、前端縁で前仕切部２２、副底部４４と連設され、後端縁で背部２１と連設されている。
【００２６】
主収納部２０には、主収納部２０内を、前後方向において区画する区画壁２５が配設されている。
【００２７】
区画壁２５は、上下方向の長さが、背部２１より短く形成され、左右の端部において連設される電子機器収納襠部２６、２６を介して、背部２１と主襠部２３、２３に挟まれた状態で、連設されている。
【００２８】
区画壁２５について詳説すると、区画壁２５は、発泡ポリプロピレン製の芯部材２５ａと、天然皮革製又は合成皮革製の外装材２５ｂと、緩衝材としての軟質ウレタンフォーム２５ｃと、を備えている。
【００２９】
芯部材２５ａの後側に軟質ウレタンフォーム２５ｃが接着され、外装材２５ｂで、全面を覆うように接着されている。
【００３０】
本実施形態では、軟質ウレタンフォーム２５ｃは、上下方向が長い矩形平板状の二枚の軟質ウレタンフォームで構成され、左右方向に沿って配置されるとともに、区画壁２５の左右方向における中央部分に上下方向に沿って隙間を有して配置されている。区画壁２５の軟質ウレタンフォーム２５ｃ間の隙間が、前面から後面に向かう有底溝状とされ、引き出し部材１００を配置可能な凹部２５ｄとされる。区画壁２５では、軟質ウレタンフォーム２５ｃ間の隙間部分の上下方向における中央上寄りの部分が、芯部材２５ａと軟質ウレタンフォーム２５ｃとが密着していない空間部分を有している。当該空間部分が、引き出し部材１００が挿通可能な挿通部２５ｅとされる。挿通部２５ｅの上下の端部には、上挿通孔２５ｆ、下挿通孔２５ｇが配設され、引き出し部材１００を挿通部２５ｅから出し入れ可能とされている。挿通部２５ｅ内の後面には、補強部材２５ｈが取り付けられている。
【００３１】
電子機器収納襠部２６、２６の上端部には、帯状の抑え部材２６ａ、２６ａが延設されている。抑え部材２６ａ、２６ａの自由端側には、面ファスナー２６ｂ、２６ｂが配設されている。右側の抑え部材２６ａの面ファスナー２６ｂと、左側の押さえ部材２６ａの面ファスナー２６ｂとが係合可能とされている。
【００３２】
本実施形態では、平面視において、背部２１と区画壁２５との間の領域が、電子機器収納部２７とされている。よって、主収納部２０内に、電子機器Ｅを収納可能な電子機器収納部２７が配設されていることになる。
【００３３】
右側の抑え部材２６ａの面ファスナー２６ｂと、左側の押さえ部材２６ａの面ファスナー２６ｂとを係合させることで、電子機器収納部２７の開口部２７ａから電子機器Ｅが飛び出すことを防止することが可能となる。
【００３４】
副収納部４０は、図１〜３に示すように、前仕切部２２と、左右一対の副襠部４３、４３と、副前部４２と、副底部４４と、で構成され、主収納部２０より容積が小さく形成されている。
【００３５】
副前部４２の前側には、前ポケット部６０が設けられ、小物を収納可能とされている。
【００３６】
蓋板部８０は、図１、２に示すように、一端が背部２１の上端縁と連設され、背部２１の上端縁から主収納部２０の開口部２０ａ、副収納部４０、前ポケット部６０を覆い、底部２４に至るように配設されている。
【００３７】
引き出し部材１００は、布製で、図１〜６に示すように、帯状に形成され、一端が、背部２１の左右方向における中央部、かつ、上端部、に取り付けられている。引き出し部材１００の自由端側には、折り重ねられて形成された掴み部１００ａが配設されている。
【００３８】
引き出し部材１００は、背部２１の凹部２１ｄ、底部２４、区画壁２５の凹部２５ｄ、上挿通孔２５ｆ、挿通部２５ｅ、下挿通孔２５ｇを通るように配置される。
【００３９】
ランドセル１０の使用態様を説明する。電子機器Ｅを収納するときには、面ファスナー２６ｂ、２６ｂの係合を解除し、電子機器収納部２７の開口部２７ａを開く。開口部２７ａから電子機器Ｅを、主収納部２０の背部２１と区画壁２５との間の領域、換言すれば、電子機器収納部２７に進入させる。
【００４０】
電子機器収納部２７に電子機器Ｅが収納された状態において、引き出し部材１００は、背部２１と、区画壁２５と、底部２４と、対向するように配され、電子機器収納部２７と電子機器Ｅとの間に配されていることになる。
【００４１】
そして、面ファスナー２６ｂ、２６ｂどうしを係合させて開口部２７ａを閉じ、蓋板部８０で、主収納部２０の開口部２０ａ、副収納部４０、前ポケット部６０を覆うことで、ランドセル１０を背負って移動することが可能となる。
【００４２】
電子機器Ｅを取り出すときには、蓋板部８０を開き、面ファスナー２６ｂ、２６ｂの係合を解除し、電子機器収納部２７の開口部２７ａを開く。引き出し部材１００の掴み部１００ａを手で持ち、引っ張ることにより、電子機器Ｅが、底部２４側から持ち上げられて引き出される。
【００４３】
このとき、挿通部２５ｅにより、引き出し部材１００の移動領域が規制されるので、電子機器収納部２７から電子機器Ｅが勢いよく引き出されて破損することがない。
【００４４】
本考案のランドセルでは、左右一対の主襠部２３、２３と、前仕切部２２と、底部２４と、背部２１と、を有する主収納部２０を備えるランドセルであって、
主収納部２０には、主収納部２０内を、前後方向において区画する区画壁２５が配設され、
平面視において、背部２１と区画壁２５との間の領域が、電子機器Ｅを収納可能な電子機器収納部２７とされ、
一端側で主収納部２０に固定され、他端側が自由端とされた帯状の引き出し部材１００を備え、
電子機器収納部２７に電子機器Ｅが収納された状態において、引き出し部材１００は、電子機器収納部２７と電子機器Ｅとの間に配され、引き出し部材１００の他端を引っ張ることにより、電子機器Ｅを底部２４側から持ち上げて引き出し可能とされている。
【００４５】
これによれば、引き出し部材１００を引っ張ることにより、電子機器Ｅを底部２４側から持ち上げ可能となるので、電子機器収納部２７から、電子機器Ｅを容易に取り出すことができる。
【００４６】
また、背部２１と区画壁２５との間の領域が、電子機器Ｅを収納可能な電子機器収納部２７とされ、
電子機器収納部２７に電子機器Ｅが収納された状態において、引き出し部材１００は、背部２１と、区画壁２５と、底部２４と、に対向するように配され、
区画壁２５には、内部を引き出し部材１００が挿通可能な挿通部２５ｅが配設されている。
【００４７】
これによれば、挿通部２５ｅにより、引き出し部材１００の移動領域が規制されるので、電子機器収納部２７から電子機器Ｅが勢いよく引き出されて破損することを防止できる。
【００４８】
また、背部２１、及び、区画壁２５、には、引き出し部材１００を配置可能な凹部２１ｄ、凹部２５ｄが配設されている。
【００４９】
これによれば、引き出し部材１００を凹部２１ｄ、凹部２５ｄに配置可能とすることで、電子機器収納部２７のスペースが減少することを防止できる。
【００５０】
また、区画壁２５は、一対の電子機器収納襠部２６を介して主収納部２０に取り付けられ、電子機器収納襠部２６には、電子機器収納部２７に収納された電子機器Ｅが、電子機器収納部２７の開口部２７ａから飛び出すことを防止する抑え部材２６ａが配設されている。
【００５１】
これによれば、抑え部材２６ａにより、電子機器Ｅが、電子機器収納部２７の開口部２７ａから飛び出すことを防止できるので、電子機器Ｅが破損することを防止できる。
【００５２】
本考案のランドセルは上記構成に限定されるものではない。即ち、本考案の要旨を逸脱しない限り各種の設計変更等が可能である。以下に、変形した態様を例示する。
【００５３】
例えば、緩衝材は、軟質ウレタンフォーム以外の他の部材を用いることができる。
【００５４】
また、区画壁２５のみに挿通部２５ｅを設けたが、背部２１側に挿通部２５ｅに相当する構成を設けることもできる。
【００５５】
また、背部２１、区画壁２５のいずれか一方のみに、凹部２１ｄ、凹部２５ｄを設けることもできる。
【００５６】
また、引き出し部材１００を、区画壁２５に取り付けることも可能である。
【００５７】
また、平面視において、背部２１と区画壁２５との間の領域を、電子機器収納部２７としたが、区画壁２５と前仕切部２２との間の領域を、電子機器収納部２７とすることも可能である。この場合、区画壁２５の前側、前仕切部２２の後側、に緩衝材を配設することができ、凹部、挿通部もそれに対応させた構成とすることもできる。
【符号の説明】
【００５８】
１０  ランドセル
２０  主収納部
２１  背部
２１ｄ  凹部
２２  前仕切部
２３  主襠部
２４  底部
２５  区画壁
２５ｄ  凹部
２５ｅ  挿通部
２６  電子機器収納襠部
２６ａ  抑え部材
２７  電子機器収納部
２７ａ  開口部
１００  引き出し部材
Ｅ  電子機器
【図１】
0003232683.tif 000003
【図２】
0003232683.tif 000004
【図３】
0003232683.tif 000005
【図４】
0003232683.tif 000006
【図５】
0003232683.tif 000007
【図６】
0003232683.tif 000008